(57)【特許請求の範囲】
【請求項１】
カーテン生地の複数箇所にテープを上下方向に延ばして縫い付け、該テープに形成した環状紐にリングを取付け、そしてリングには昇降用コードを挿通し、昇降用コードを引くことでカーテンをジグザグに折畳み状態で引き上げることが出来る引上げ式カーテンの上記リングにおいて、該リングはテープに当接して取付けられる平坦な底面を有して環状紐に係合する底片を有し、そして該底片側には下部空間と昇降用コードが収容される上部空間を設け、下部空間と上部空間の間には側片との間に隙間を残して係止する係止片を先端に形成した仕切り片を有し、上部空間と外部との間には先端が仕切り片との間に隙間を介在して撓み変形する係止片を上部空間を形成する側片先端に設けたことを特徴とする引上げ式カーテンの昇降用コードのリング。
【請求項２】
カーテン生地の複数箇所にテープを上下方向に延ばして縫い付け、該テープに形成した環状紐にリングを取付け、そしてリングには昇降用コードを挿通し、昇降用コードを引くことでカーテンをジグザグに折畳み状態で引き上げることが出来る引上げ式カーテンの上記リングにおいて、該リングはテープに当接して取付けられる平坦な底面を有して環状紐に係合する底片を有し、そして底片の両端には側片を立ち上げ、片方の側片先端には垂直に屈曲して他方の側片側へ延びる上片、該上片先端から屈曲して底片側へ別の側片を延ばすと共に該側片先端には係止片を設け、また、底片から立ち上がる他方の側片先端には仕切り片を設けてリング内部を下部空間と上部空間に仕切り、仕切り片の先端には側片内面との間に隙間を介在して係止片を形成したことを特徴とする引上げ式カーテンの昇降用コードのリング。
【請求項３】
上記仕切り片の先端には間の凹部を中心として両係止片を有し、側片内面の凸部を凹部に係合した請求項２記載の引上げ式カーテンの昇降用コードのリング。
【請求項４】
カーテン生地の複数箇所にテープを上下方向に延ばして縫い付け、該テープに形成した環状紐にリングを取付け、そしてリングには昇降用コードを挿通し、昇降用コードを引くことでカーテンをジグザグに折畳み状態で引き上げることが出来る引上げ式カーテンの上記リングにおいて、該リングは概略長方形で、テープに当接する底面を形成して環状紐に係合する底片を有し、そして、環状紐が収容される下部空間と昇降用コードが収容される上部空間を設け、下部空間と上部空間の間には側片との間に僅かな隙間を残して近接する仕切り片を有し、また上部空間と外部との間には先端が上記仕切り片との間に隙間を介在して撓み変形する係止片を上部空間を形成する側片先端に設け、上記下部空間の形状を概略扇形とし、扇形下部空間の下端には溝を連続して形成し、環状紐は該溝に係合することを特徴とする引上げ式カーテンの昇降用コードのリング。
【請求項５】
上記底面を滑らかな凸状曲面とした請求項４記載の引上げ式カーテンの昇降用コードのリング。
【発明の詳細な説明】
【技術分野】
【０００１】
本発明は引き上げ式カーテンの上下方向に沿って縫着したテープの環状紐に対して着脱可能に係止することが出来、カーテン昇降用コードを順次通すことによって、カーテンがジグザグの折畳み状態で引き上げられるようにする引上げ式カーテンの昇降用コードのリングに関するものである。
【背景技術】
【０００２】
引上げ式カーテンは、建物桟に固定するヘッドレールに上端部を固定し、このカーテンの幅方向の複数箇所にテープを上下方向に縫着し、各テープには上下一定の間隔でリングを取付け、そして各テープに取付けたリングにはカーテン昇降用コードをそれぞれ挿通している。上記昇降用コードは下端に接続したコードキャッチを介してカーテン下端のウエイトバーに連結し、昇降用コードを引き下げるとカーテンは下部から上昇し、そして昇降用コードの係止を解くと、カーテンは自重で降下することが出来る。
【０００３】
引上げ式カーテンにはテープが縫着され、そして該テープにはリングが取付けられ、昇降用コードを通すことが出来るように円形のリングを用い、これをテープに設けた糸製の環状紐でテープに縫着されている。テープの環状紐にリングが前以て縫着されている場合、テープをカーテン生地に縫着する際に該リングが邪魔になり、テープ縫着作業が行い難いと共に合成樹脂製のリングがミシン針に当ることによってリングが破損する。また、ミシン針が折損する虞もある。
【０００４】
そして、引き上げ式カーテンを洗濯する場合、カーテンと昇降用コードを切り離し、カーテンだけを取り外して昇降用コードをヘッドレールに残し、テープとリングが付いた状態でカーテンを洗濯し、洗濯乾燥後にカーテンをヘッドレールに取付けている。しかし、該リングを着脱式としてテープに設けた環状紐に係止して取付けるようにしたカーテンも知られている。
【０００５】
特開２００７−１３５９０３号に係る「カーテン昇降用のリングカン」は、リングカンを着脱可能としており、カーテンの取外しが、コードの端部とコードキャッチの接続を解くことなく行え、カーテンの再取付け時にコードの長さ調整作業が不要になるカーテン昇降用コードのリングカンである。
そこで、カーテン昇降用コードのリングカンが、たくし上げカーテンに縫着したテープの環状紐に対して係止するフック部と、昇降用コードを通すためのコード挿通環で形成され、コード挿通環に昇降用コードの出し入れを可能にするための切れ目を設けている。
【特許文献１】特開２００７−１３５９０３号に係る「カーテン昇降用のリングカン」
【発明の開示】
【発明が解決しようとする課題】
【０００６】
ところで、特開２００７−１３５９０３号に係る「カーテン昇降用のリングカン」は、テープに設けた環状紐に着脱可能としているが、その形状は全体形状が概略円形であり、環状紐に係止して取付けた場合に安定しない。すなわち、フック部に係止した環状紐はリングカンが回転して外れてしまう虞がある。本発明が解決しようとする課題はこの問題点であって、テープに形成される環状紐に安定して取付けることが出来る引上げ式カーテンの昇降用コードのリングを提供する。
【課題を解決するための手段】
【０００７】
本発明に係るリングは、カーテンに縫い付けたテープの所々に形成している環状紐に係止することが出来、しかも該環状紐から外れない構造と成っている。ところで、引上げ式カーテンとしての形態は限定せず、またカーテンを取付けるヘッドレールの構造、及びカーテンを引上げる為の昇降用コードの形態などは限定しない。
【０００８】
本発明のリングは平坦な底面を形成した底片を有し、そして、内部には仕切り片を有して独立した２つの空間を設けている。ただし、リングの外形形状は限定しないことにする。そして、平坦な底面中央には凹溝を有し、また底片の内側には係止片が対を成して形成されている。ところで、底部側空間にはテープに設けた環状紐が嵌ると共に、上記凹溝には環状紐が係合し、両係止片にも環状紐が係止することが出来る。
【０００９】
そして、昇降用コードは上部側空間に嵌ることが出来る。ここで、リングの両空間は僅かな隙間を介して繋がり、しかも、上部側空間は外部と僅かな隙間を介して繋がっている。僅かな隙間は環状紐及び昇降用コードを空間に嵌めるに際してリンクが変形することで拡大し、環状紐及び昇降用コードを挿入することが出来るようにしている。
【００１０】
一方、リング下部空間の形状を概略扇形、又は概略逆三角形とし、その基部には溝を形成している。そして、リング底面を丸みを有す滑らかな凸状とすることも可能である。勿論、このリングの場合も上部空間を有す、下部空間との間には仕切り片を設けている。
【発明の効果】
【００１１】
本発明に係るリングはカーテンに縫い付けされて上下方向に延びるテープの環状紐に係止して取付けられ、しかも環状紐から自由に取外すことが出来る。そして、本発明のリングはその形状が円形のリング体でなく、底片の底面はほぼ平坦な面としている為に、環状紐に係止した状態で回転することはなく安定して取付けられる。
【００１２】
環状紐は底部側空間を利用して底片に係止している為に、仮にリングが回転しても底部側空間から上部側空間を通過しなくては外れることはなく、両空間を繋ぐ隙間は小さく、また上部側空間と外部をつなぐ隙間も小さい為に、環状紐が隙間を通過してリングが外れるケースは殆どない。しかも、上部側空間を閉じる先端係止片は内側へ屈曲した形状をしている為に、昇降用ロープも外れ難い形状と成っている。
【図面の簡単な説明】
【００１３】
【図１】引上げ式カーテンの概略図。
【図２】テープを縫い付けた箇所の縦断面。
【図３】テープの部分拡大図。
【図４】本発明に係るリングを示す実施例。
【図５】本発明に係るリングを示す他の実施例。
【図６】本発明に係るリングを示す別の実施例。
【発明を実施するための形態】
【００１４】
図１は引上げ式カーテンを示す概略図で、同図の１はカーテン生地、２はトップレール、３はテープ、４はリングをそれぞれ表している。該カーテン生地１は縦・横が所定の寸法を有す長方形を成し、該カーテン生地１の所々には複数本のテープ３，３・・・が上下方向に縫い付けられている。そして、カーテン生地１の上縁はトップレール２に取付けられている。
【００１５】
上下方向に延びるテープ３，３・・・には一定間隔で本発明のリング４，４・・・が取付けられており、該リング３，３・・・には昇降用コードが挿通し、昇降用コードの下端はカーテン生地１の下縁に取付けたウエイトバー５に連結している。従って、上記昇降用コードを引上げるとウエイトバー５が上昇し、テープ３，３・・・に縫い付けたリング４，４・・・が互いに重なり、リンク４，４・・・間のカーテン生地１はジグザグに折畳まれて上昇する。
【００１６】
図２はカーテン生地１にテープ３が縫い付けられている箇所の縦断面の一部拡大図を示している。該テープ３にはリング４が取付けられているが、該リング４は環状紐６を介して取付けられる。図３はテープ３に縫製した環状紐６を表しているが、該環状紐６はテープ３に紐７を縫着すると共に、その一部をテープ３の表面から盛上げてリング状に縫製している。本発明のリング４はこの環状紐６に係止して取付けられる。
【００１７】
図４は本発明に係るリング４を示す実施例である。該リング４はその外形形状が概略長方形を成し、該リング４は下部空間８と上部空間９を有している。ところで、リング４は底片１０、両側片１１ａ，１１ｂ、上片１２、そして側片１１ｃを有している。また、側片１１ｂの先端には仕切り片１３を形成し、該仕切り片１３の先端には係止片１４ａ，１４ｂを有し、両係止片１４ａ，１４ｂの間には凹部１５と成っている。
【００１８】
底片１０の両側から側片１１ａと側片１１ｂを立ち上げ、該側片１１ａの上端から上片１２を屈曲して延ばし、上片１２の先端から側片１１ｃが底片側へ屈曲して延びている。また、側片１１ｂの先端には仕切り片１３が内側へ延び、該仕切り片１３によってリング４の内部を下部空間８と上部空間９に仕切っている。そして、仕切り片１３の先端に形成した係止片１４ａ，１４ｂの間の凹部１５に係合する凸部１６が側片１１ａの内面に形成されている。
【００１９】
しかし、係止片１４ａ，１４ｂ及び凹部１５と側片１１ａ内面との間には僅かな隙間１７が介在し、底部空間８と上部空間９は隙間１７を介して繋がっている。また、側片１１ｃの先端には係止片１８が延び、該係止片１８は上記仕切り片１３に係合している。ただし、仕切り片１３と係止片１８の先端間には僅かな隙間１９が設けられ、その為に、上部空間９は該隙間１９を介して外部と繋がっている。また、底片１０の底面２０の中央には凹溝２１が設けられている。
【００２０】
ところで、該リング４をテープ３に設けた環状紐６に取付ける場合、環状紐６は隙間１９から上部空間９に入り、そして、隙間１７を通過して下部空間８に収容される。環状紐６が隙間１９を通過する場合には、仕切り片１３及び係止片１８は撓み変形して通過し易いように隙間１９は拡大することが出来る。同じく、環状紐６が隙間１７を通過する場合も、側片１１ａ及び仕切り片１３が撓み変形することが出来る。
【００２１】
下部空間８に嵌った環状紐６は上部空間９へ移動し難い空間形状としている。すなわち、概略三角形をした下部空間８としているが、係止片１４ａと側片１１ａの内面とは大きな段差なく滑らかな平面と成っており、隙間１７に環状紐６が侵入し難いようにしている。これに対して、上部空間９から下部空間８へ環状紐６を挿入する際には、側片１１ａの内面に沿って該環状紐６を移動するならば、係止片１４ｂに当って隙間１７を通過し易くなる。
【００２２】
一方、昇降用コード２２はリング４の上部空間９に収容されるが、隙間１９を通過して入ることが出来る。昇降用コード２２は環状紐６に比較して太いが、係止片１８及び仕切り片１３が撓み変形することで該隙間１９の大きさは拡大することが出来る。そして、一旦、上部空間９に嵌った昇降用コード２２は外れ難い。すなわち、係止片１８が外側へ撓み変形しようとするならば、該係止片１８は仕切り片１３に当って隙間１９を拡大することが出来ない。
【００２３】
これは、下部空間８に嵌っている環状紐６の場合も同じであり、仮に隙間１７を通過して上部空間９へ環状紐６が移動しても隙間１９を通過して外れることは出来ない。このように、本発明に係るリング４はテープ３の環状紐６に取付け易く、しかも該環状紐６から外れにくい。
【００２４】
図５は本発明に係るリング４を示す他の実施例である。基本的な形態は前記図４のリングと共通しているが、このリング４は底片１０の中央に２つの係止片２３ａ，２３ｂが対を成して設けられている。係止片２３ａ，２３ｂは下部空間８へ延び、先端側間隔が狭まるようにハの字状に傾斜している。そこで、下部空間８に入った環状紐６は両係止片２３ａ，２３ｂの間に嵌り、その結果、リング４は移動することなく安定した取付けが成される。
【００２５】
図６は本発明に係るリング４を示す更なる別の実施例である。該リング４はその外形形状が概略長方形を成し、前記図４、図５に示したリング４と同じく下部空間８と上部空間９を有している。このリング４は底片２４、両側片２５ａ，２５ｂ、上片２６、そして側片２５ｃを有している。また、側片２５ｂの先端には仕切り片２７を形成し、この仕切り片２７によって下部空間８と上部空間９とに仕切られている。
【００２６】
底片２４の底面２８は滑らかな凸状曲面を有し、該底片２４の両側から上記側片２５ａと側片２５ｂを立ち上げ、該側片２５ａの上端から上片２６を屈曲して延ばし、そして、上片２６の先端から側片２５ｃが底片側へ屈曲して延びている。また、側片２５ｂの先端には上記仕切り片２７が内側へ延び、該仕切り片２７によってリング４の内部を下部空間８と上部空間９に仕切っている。
【００２７】
仕切り片２７の先端は側片２５ａに近接し、側片２５ａの内面との間には僅かな隙間２９が介在し、底部空間８と上部空間９は該隙間２９を介して繋がっている。また、側片２５ｃの先端には係止片３０が延び、該係止片３０は上記仕切り片２７に係合している。ただし、仕切り片２７と係止片３０の先端間には僅かな隙間３１が設けられ、その為に、上部空間９は該隙間３１を介して外部と繋がっている。
【００２８】
ところで、下部空間８は概略扇形を形成し、扇形の下部空間８の基部（下端）には溝３２を有し、溝３２は扇形下部空間８と繋がっている。そして、該リング４をテープ３に設けた環状紐６に取付ける場合、環状紐６は隙間３１から上部空間９に入り、そして、隙間２９を通過して下部空間８に収容される。環状紐６が隙間３１を通過する場合には、仕切り片２７及び係止片３０は撓み変形して通過し易いように隙間３１は拡大することが出来る。同じく、環状紐６が隙間２９を通過する場合は、側片２５ａ及び仕切り片２７が撓み変形することが出来る。
【００２９】
下部空間８に嵌った環状紐６は上部空間９へ移動し難い空間形状としている。すなわち、該下部空間８はその形状を概略扇形とし、環状紐６は扇形下部空間８の下端に形成される溝３２に係合してリング４が取付けられている。その為に、環状紐６は該溝３２から外れて上昇し難く、該隙間２９を通過して上部空間９へ移動することはない。
【００３０】
一方、昇降用コード２２はリング４の上部空間９に収容されるが、隙間３１を通過して入ることが出来る。昇降用コード２２は環状紐６に比較して太いが、係止片３０及び仕切り片２７が撓み変形することで該隙間３１の大きさは拡大することが出来る。その為に、一旦、上部空間９に嵌った昇降用コード２２は外れ難い。すなわち、係止片３０が外側へ撓み変形しようとするならば、該係止片３０は仕切り片２７に形成した切欠き部３３の底に当って隙間３１を拡大することが出来ない。
【００３１】
これは、下部空間８に嵌っている環状紐６の場合も同じであり、本発明に係るリング４はテープ３の環状紐６に取付け易く、しかも該環状紐６から外れ難い形状と成っている。図６に示すリング４はその底面２８が滑らかな凸状曲面を形成していることで、環状紐６に取付けた該リング４は向きが変わり易く、カーテン昇降動作がスムーズとなる。
【符号の説明】
【００３２】
１  カーテン生地
２  トップレール
３  テープ
４  リング
５  ウエイトバー
６  環状紐
７  紐
８  下部空間
９  上部空間
10  底片
11  側片
12  上片
13  仕切り片
14  係止片
15  凹部
16  凸部
17  隙間
18  係止片
19  隙間
20  底面
21  凹溝
22  昇降用コード
23  係止片
24  底片
25  側片
26  上片
27  仕切り片
28  底面
29  隙間
30  係止片
31  隙間
32  溝
33  切欠き部
【図１】
0005562914.tif 000002
【図２】
0005562914.tif 000003
【図３】
0005562914.tif 000004
【図４】
0005562914.tif 000005
【図５】
0005562914.tif 000006
【図６】
0005562914.tif 000007